(57)【要約】【課題】予め設定された画像データを任意に変更可能とする。【解決手段】予めプリセットされた第１の画像データを記憶する画像データ記憶部１４と、第１の画像データを使用したインタフェース画面を表示する表示部２６と、第１の画像データと置換可能な第２の画像データを記憶可能な外部記憶媒体２５と、外部記憶媒体２５に第２の画像データの記憶がある場合に、その外部記憶媒体２５より読み出した第２の画像データを画像データ記憶部１４に記憶させ、画像データ記憶部１４より第１の画像データの代わりに第２の画像データを読み出してインタフェース画面を表示部２６に表示させる制御部とを備えて、インタフェース画面を任意の第２の画像データで変更可能とした。【選択図】図１
2007158620.tif 000002
【特許請求の範囲】
【請求項１】
予めプリセットされた第１の画像データを記憶する第１の記憶部と、
前記第１の画像データを使用したインタフェース画面を表示する表示部と、
前記第１の画像データと置換可能な第２の画像データを記憶可能な第２の記憶部と、
前記第２の記憶部に前記第２の画像データの記憶がある場合に、その第２の記憶部より読み出した前記第２の画像データを前記第１の記憶部に記憶させ、前記第１の記憶部より前記第１の画像データの代わりに前記第２の画像データを読み出してインタフェース画面を前記表示部に表示させる制御部とを備えることを特徴とする
表示装置。
【請求項２】
請求項１記載の表示装置において、
前記第１及び第２の画像データは、前記インタフェース画面内のアイコン画像又は背景画像であることを特徴とする
表示装置。
【請求項３】
請求項１記載の表示装置において、
前記第１の記憶部は表示装置に内蔵された記憶部であり、前記第２の記憶部は表示装置に着脱自在な記憶媒体であり、
前記制御部は、前記第１の画像データ毎に前記第１の記憶部に割り当てる記憶領域を管理する画像情報テーブルを用いて、前記第２の記憶部より読み出した前記第２の画像データを前記第１の記憶部に記憶させることを特徴とする
表示装置。
【請求項４】
請求項３記載の表示装置において、
前記画像情報テーブルは、少なくとも前記第１の画像データ毎の名称と、前記第１の記憶部に記憶する前記第１の画像データ毎の先頭アドレスと、前記第１の記憶部に記憶可能なデータ量の値とで構成することを特徴とする
表示装置。
【請求項５】
請求項３記載の表示装置において、
前記第１の記憶部に割り当てる前記第１の画像データ毎の記憶領域は固定領域であり、前記制御部は、第２の画像データを前記第１の記憶部の前記先頭アドレスの固定値に記憶させることを特徴とする
表示装置。
【請求項６】
請求項３記載の表示装置において、
前記第１の記憶部に割り当てる前記第１の画像データ毎の記憶領域は可変領域であり、前記制御部は、前記第２の画像データのデータ量に応じて、前記記憶領域を可変させて前記第２の画像データを前記第１の記憶部に記憶させて、前記可変させた記憶領域に応じて前記画像情報テーブルの先頭アドレスを可変させることを特徴とする
表示装置。
【請求項７】
請求項１記載の表示装置において、
前記第１及び第２の記憶部は、前記第１及び第２の画像データに代えて第１及び第２の文字データを記憶することを特徴とする
表示装置。
【請求項８】
請求項１記載の表示装置において、
前記制御部は、前記表示部に表示する画像を前記第１の画像データとして前記第１の記憶部に記憶することを特徴とする
表示装置。
【請求項９】
請求項１記載の表示装置において、
前記第２の記憶部は、前記表示装置に対して取り外し可能な記憶媒体であることを特徴とする
表示装置。
【請求項１０】
請求項１記載の表示装置において、
前記制御部は、前記表示装置で発生する異常を検出し、検出した異常の情報を前記インタフェース画面に表示することを特徴とする
表示装置。
【請求項１１】
予めプリセットされて記憶された第１の画像データを使用してインタフェース画面を表示する表示方法において、
前記第１の画像データと置換可能な第２の画像データを記憶し、
前記記憶された第２の画像データを前記第１の画像データの代わりに読出し可能とし、
前記第２の画像データを読み出してインタフェース画面を表示させることを特徴とする
表示方法。
【発明の詳細な説明】
【技術分野】
【０００１】
本発明は、例えばテレビジョン受像機に適用して好適な表示装置及び方法に関し、特に所定の設定を行うインタフェース画面の表示技術に関する。
【背景技術】
【０００２】
近年、各家庭に普及している電子機器として、例えばテレビジョン受像機等の多機能化が進んでおり、ユーザが各種調整／設定を行なうことで、視聴する環境に合わせた色合いや音質等の調整を行うようにしている。しかし、これらの各種操作項目に応じた操作キーを設ける場合、リモートコントロール装置等の構成や調整／設定操作が煩雑になってしまう恐れがある。このため、各種調整／設定項目毎に階層構造とされているメニュー画面をディスプレイ上に表示し、ユーザは表示されたメニュー画面を見ながら、例えばリモートコントロール装置等に設けられている所定の操作キー（メニューキー、アップダウンキー等）を操作する。調整／設定項目は、多数の機能を使用するために、それぞれグループ化した関連する機能項目を、メインメニューと下位のサブメニューといった形式で管理している。
【０００３】
こうすることで、ユーザはメインメニューで選択したメニュー項目に関連するサブメニューを表示させ、所望する項目を選択することで調整画面に移行して各種調整／設定を行うことが可能である。ここで、例えば「画像調整」に関するメインメニューがある場合、サブメニューとして、例えば「明るさ」、「色合い」、「色の濃さ」、「シャープネス」、…といった調整項目がある。近年、これらのメニューについて、それぞれ所定の画像アイコンやメニュー画面用の背景画像を表示させることで、メニュー認識を視覚的に容易にさせていた。
【０００４】
ここで、メニュー画面に用いる画像データはテレビジョン受像機の生産時にＲＯＭ（Read Only Memory）やフラッシュＲＯＭ等の内蔵記憶媒体に特定の領域を確保してアドレスが指定されて記憶される。そして、メニューを表示する時には、テレビジョン受像機のファームウェアは各画像データの先頭アドレスから必要となる画像データを読出し、画面上に表示させる。こうして、メニュー表示時の背景画面、アイコン等の画像データを表示していた。
【０００５】
特許文献１には、ユーザが頻繁に行う操作項目のみを選択して再設定したカスタマイズドメニューを構築する電子機器の記載がある。
【０００６】
特許文献２には、配信される追加機能の中から利用者の嗜好にあったものだけを選択し、利用者に提示し、容易にサービスを利用するためのメニュー画面を追加するデジタルテレビシステムの記載がある。
の記載がある。
【特許文献１】特開平９−２３８２９１号公報（図７）
【特許文献２】特開２００４−１９４２４５号公報（図１）
【発明の開示】
【発明が解決しようとする課題】
【０００７】
ところで、従来用いられてきたメニュー表示用の画像データは、テレビジョン受像機の生産時に内蔵記憶媒体に記憶されるため、通常、製品出荷後にメニュー表示用の画像データを変更することはできなかった。つまり、テレビジョン受像機の内蔵記憶媒体のデータを書き換えることができなかった。
【０００８】
特許文献１に記載された技術を使用することで、カスタマイズドメニューを再設定することは可能であるが、メニュー項目をカスタマイズするだけであり、また、特許文献２に記載してある技術を用いても放送波から配信される追加メニュー、機能等から選択するだけであった。このため、メニュー画面のアイコン画像や背景画像をユーザの所望の画像に書き換えて表示させる要望に適う技術ではなかった。
【０００９】
本発明はこのような状況に鑑みて成されたものであり、予め設定された画像データを任意に変更可能とすることを目的とする。
【課題を解決するための手段】
【００１０】
本発明は、予めプリセットされて記憶された第１の画像データを使用してインタフェース画面を表示する場合において、第１の画像データと置換可能な第２の画像データを記憶し、その記憶された第２の画像データを第１の画像データの代わりに読出し可能とし、第２の画像データを読み出してインタフェース画面を表示させるようにしたものである。
【００１１】
このようにしたことで、例えばユーザが第２の画像データとして任意の画像データを記憶させることで、予めプリセットされた第１の画像データで構成されたインタフェース画面表示の代わりに、ユーザ所望の画像データで構成されたインタフェース画面表示を行うことが可能となった。
【発明の効果】
【００１２】
本発明によれば、予めプリセットされたインタフェース画面中の各構成要素を、ユーザ所望の画像データに置換えたインタフェース画面として表示させることができ、インタフェース画面を任意に変更できるという効果がある。
【発明を実施するための最良の形態】
【００１３】
以下、本発明の一実施の形態を、添付図面を参照して説明する。本実施の形態では、メッセージを表示させ画像表示装置の各種調整及び設定を行うことが可能なインタフェース画面としてのメニュー画面を表示させる画像表示装置を例に説明する。
【００１４】
図１は、本例の画像表示装置の構成例を示したブロック図である。画像を表示可能な画像表示装置１０に対して遠隔制御可能なリモートコントロール装置１は、赤外線信号を送信して画像表示装置１０の電源オン／オフ切り換え、チャンネル切り換え、音量設定、メニュー画面の表示等の操作を行うことができる。リモートコントロール装置１から送信された赤外線信号は、受信した赤外線信号を所定の信号に変換する受信部１１で操作信号に変換する。そして、変換した操作信号を画像表示装置１０の各部の処理を制御する主制御部１２に供給する。また、画像表示装置１０を操作するための操作ボタン等の操作部２７が備えてあり、操作部２７の操作は、操作信号として主制御部１２に供給される。
【００１５】
主制御部１２は、後述する外部記憶媒体２５のインタフェースに対応する外部記憶媒体アクセス部１８を介して画像データ等を読み出し、書き込むことができる。外部記憶媒体２５は、例えばスティック状のメモリカードなどのＩＣ（Integrated Circuit）記憶メディアからなり、パーソナルコンピュータ装置などを使用してユーザが任意の画像データを記憶させることができ、画像表示装置に用意されたスロット（図示せず）に着脱自在に装着可能である。また、画像表示装置１０の機能を制御するためのファームウェア、パラメータ等が、ＲＯＭ（Read Only Memory）、ＲＡＭ（Random Access Memory）等の記憶媒体からなる記憶部２８に記憶してあり、主制御部１２は、随時読み出しや、必要に応じて作業領域を確保し、データの書込みを行う。ファームウェアは、後述する画像データ記憶部１４に記憶してあるメニュー表示時の背景画像、アイコン画像等の画像データ毎のファイル名称と、画像データ記憶部１４に記憶する画像データ毎の先頭アドレスと、画像データ記憶部１４に記憶可能なデータ量をサイズの制限とした値等の画像情報を画像情報テーブル４１として記憶する。本例の画像データは静止画像を用いることとする。また、本例では、所定の単位の画像データを画像ファイルとして管理している。
【００１６】
図示しないアンテナより供給された放送波から選局を行うチューナ１９、ＤＶＤ（Digital Versatile Disk）レコーダ等の外部装置から映像データが供給される外部入力部２０、デジタル放送が入力されるデジタル入力部２１より放送信号等を取り込んで、画像のデコード、所定の変換処理等を行う画像処理部１７に信号が供給される。そして、画像処理部１７で、所定の変換処理を行って後述する画像表示制御部１５に画像データを供給する。
【００１７】
そして、主制御部１２に対して画像駆動用の副制御部１３が画像処理を制御する。メニュー表示時の背景画面、アイコン等の画像データを記憶してある画像データ記憶部１４は、副制御部１３により任意のデータに書き換え可能な記憶媒体として、例えばフラッシュＲＯＭで構成してある。画像処理部１７から供給される動画像、静止画像と、画像データ記憶部１４からのメニュー表示時の背景画像、アイコン画像等の画像データ等を重畳し、表示信号を生成する画像表示制御部１５は生成した画像信号をディスプレイパネルに電圧等の供給を行うパネル駆動部１６に供給する。また、副制御部１３と画像表示制御部１５とは随時通信し、メニュー切り換え等に伴う画像データを画像データ記憶部１４から取り出す処理等を行う。画像データ記憶部１４は、ファイル名称、先頭アドレス、サイズの制限等の画像情報をテーブル形式で管理してある。そして、画像表示制御部１５で先頭アドレスを指定すると速やかに目的の画像データを読み出すことができる。そして、パネル駆動部１６によって、例えば液晶ディスプレイパネルで構成してある表示部２６の画像表示処理が行われる。
【００１８】
次に、本例の画像表示装置１０を用いてメニュー画面の背景画像、アイコン画像を書き換える処理の例について、図２のフローチャートを参照して説明する。
【００１９】
事前に、ユーザは、画像処理ソフトウェアを利用して、コンピュータ装置に保存されている画像データをファームウェアが認識できるフォーマットに変換しておく。この画像処理ソフトウェアは、アイコン画像、背景画像毎に所定のサイズにデータを縮小、間引き変換して、ユーザがデジタルスチルカメラで撮影したような画像やパーソナルコンピュータ装置で作成した画像でも適切なフォーマット、サイズに変換することができる。本例で用いる画像フォーマットとしては、例えばＪＰＥＧ（Joint Photographic Expert Group）形式とする。そして、そのコンピュータ装置で処理されたフォーマット及びサイズの画像データを、外部記憶媒体２５で指定される画像用のフォルダに保存する。または、メーカのホームページ等から提供されたメニュー表示更新用に複数のアイコン画像、背景画像データ等をまとめた画像パッケージをダウンロードし、外部記憶媒体２５に保存しておく。そして、そのデータが保存された外部記憶媒体２５を、画像表示装置１０に装着して、本例のメニュー画像の書き換え処理を開始する。
【００２０】
まず、表示部２６上にメインメニューを表示させる（ステップＳ１）。メインメニューの表示には、リモートコントロール装置１の図示しないメニューボタン等を押下して行う。そして、メインメニュー画面から「メニュー更新」メニューを選択し（ステップＳ２）、さらに、「外部記憶媒体から更新」メニューを選択する（ステップＳ３）。そして、外部記憶媒体アクセス部１８に外部記憶媒体２５が挿入されているかどうか確認する（ステップＳ４）。
【００２１】
外部記憶媒体２５が挿入されていない場合は、「外部記憶媒体が見つかっていません。」という警告メッセージを表示部２６に表示させ（ステップＳ５）、ステップＳ３のメニュー選択の処理に戻る。外部記憶媒体２５が挿入されている場合は、外部記憶媒体２５にメニュー更新に必要となる画像ファイルが記憶してあるかどうか確認する（ステップＳ６）。必要な画像ファイルがない場合は、「必要な画像ファイルが見つかっていません。」という警告メッセージを表示部２６に表示させ（ステップＳ７）、ステップＳ３のメニュー選択の処理に戻る。
【００２２】
メニュー更新に必要となる画像ファイルがある場合は、画像ファイルの情報が正しいかどうか確認する（ステップＳ８）。画像ファイルの情報が不正であれば、「認識できる画像ファイルが見つかっていません。」という警告メッセージを表示部２６に表示させ（ステップＳ９）、ステップＳ３のメニュー選択の処理に戻る。画像ファイルの情報が不正とは、例えば更新しようとする画像ファイルのデータ量が予め定められた制限サイズを超過する場合、その画像ファイルによる更新を行わないようにする処理である。
【００２３】
画像ファイルの情報が正しいものであれば、一時的にメニュー表示を消去する（ステップＳ１０）。そして、画像データをフラッシュＲＯＭに書き込んで画像データを更新する（ステップＳ１１）。そして、新しい画像データをフラッシュＲＯＭから読み出してメニューを再表示させる（ステップＳ１２）。
【００２４】
次に、メニュー画面の画像書き換えの表示例について、図３を参照して説明する。メニュー画面の背景画像やアイコン画像が記憶してある外部記憶媒体２５は、外部記憶媒体アクセス部１８に挿入することでデータの読み出し、書込みが可能となる。そして、表示部２６に表示させた図示しない選択メニューから「画面表示更新」機能を実行する。データの読み取り時には、所定のファイル形式で記憶してあるパス情報２５ａを利用して３つのアイコン画像１，２，３のデータと背景画像のデータへアクセスする。外部記憶媒体２５には、画像データ以外にも様々な種類のデータが記憶可能であるため、パス情報２５ａを利用することで確実にアイコン画像、背景画像を取得する事が可能となる。こうして、記憶部２８に記憶されている制御プログラムであるファームウェア４０は、外部記憶媒体アクセス部１８から外部記憶媒体２５に記憶してある画像ファイルのファイル名とサイズなどの基本情報を取得する。そして、ファームウェア４０は、画像データ記憶部１４への画像データの読出し、書込み処理や表示部２６へのメニュー画面を表示させる制御処理を行う。
【００２５】
ファームウェア４０は、主制御部１２、副制御部１３、画像法事制御部１５、画像処理部１７上で処理を行う。これらの制御部は、画像データ毎に記憶してある画像データ記憶部１４に割り当てる記憶領域を画像情報テーブル４１を用いて管理してある。外部記憶媒体２５より読み出された画像データは、ファームウェア４０により、更新前のメニュー画面のアイコン画像１，２，３と背景画像とを外部記憶媒体１８に記憶した画像データで書き換える処理を行う。ファイル名、先頭アドレス、サイズの制限値をテーブル構成とした画像情報テーブル４１に情報が記憶してある更新前のメニュー画面のアイコン画像１，２，３（画像データ３３ａ，３４ａ，３５ａ）と背景画像（画像データ３６ａ）は、画像データ記憶部１４に記憶してある。ファームウェア４０は、画像情報テーブル４１を参照して、ファイル名称、先頭アドレス、サイズの制限等の基本情報をチェックした上で、該当する画像データが保存されている画像データ記憶部１４の保存領域の先頭アドレスを調べる。
【００２６】
画像情報テーブル４１より、アイコン画像１のデータ（画像データ３３ａ）は、先頭アドレス“0xAAAA”に保存してある事が分かる。同様に、アイコン画像２のデータ（画像データ３４ａ）は、先頭アドレス“0xBBBB”に保存してあり、アイコン画像３のデータ（画像データ３５ａ）は、先頭アドレス“0xCCCC”に保存してあり、背景画像のデータ（画像データ３６ａ）は、先頭アドレス“0xDDDD”に保存してある事が分かる。画像データの名称は、アイコン画像のデータ１，２，３を順に”icon1”，”icon2”，”icon3”と名づけてあり、背景画像を”background”と名づけてある。それぞれの画像データには、サイズの制限があり、アイコン画像１，２，３のデータは順に”Size1”，”Size2”，”Size3”、背景画像のデータは、”Size4”の制限がある。本例では説明のため、Size1,2,3,4としているが、具体的な数値も入力可能である。
【００２７】
ここで、本例の画像情報テーブル４１で用いる画像データのサイズの制限とは、画像データ記憶部１４に記憶可能なアイコン画像、背景画像データの最大値を示す。本例の画像データ記憶部１４には、それぞれの記憶する画像データ毎に固定領域を確保してあり、例えばアイコン画像データは１０Ｋバイト分だけ保存することが出来るとする。今、アイコン画像３３ａ，３３ｂのデータ量が共に６Ｋバイトである場合、残りの４Ｋバイト分は空き領域として確保される。そして、アイコン画像３４ａ又は３４ｂは固定値である先頭アドレス“0xBBBB”の保存領域に保存される。
【００２８】
一方、更新したいアイコン画像のデータ量が、例えば１２Ｋバイトである場合、保存可能なデータ量（本例では１０Ｋバイト）を超過しているため、保存不可能としてデータ更新されない。このとき、表示部２６に所定の警告メッセージを表示させ、データ更新できなかったことをユーザに通知する。このようにそれぞれの画像ごとに保存可能な領域を固定としてあることで、画像データが保存してある先頭アドレスも常に一定となり、速やかに画像の読出し、書込みを行うことができる。
【００２９】
こうして、ファームウェア４０によって外部記憶媒体アクセス部１８から画像データを読み出し、画像データ記憶部１４の該当する保存領域に書き換え、古い画像データ３３ａ，３４ａ，３５ａ，３６ａを上書き更新することができる。外部記憶媒体２５から読み出されたアイコン画像１，２，３と背景画像のデータは、画像データ記憶部１４の対応する画像を更新する。ここで、画像データ記憶部１４の先頭アドレス“0xAAAA”に保存されるアイコン画像１のデータ（画像３３ａ）は、画像３３ｂに更新される。同様に、先頭アドレス“0xBBBB”に保存されるアイコン画像２のデータ（画像３４ａ）は、画像３４ｂに更新され、先頭アドレス“0xCCCC”に保存されるアイコン画像３のデータ（画像３５ａ）は、画像３５ｂに更新される。そして、先頭アドレス“0xDDDD”に保存される背景画像のデータ（画像３６ａ）は、画像３６ｂに更新される。
【００３０】
メニューを表示する時、ファームウェア４０は画像データ用記憶部１４から画像データを読み出し、表示部２６の画面上に表示する。ここで、更新前のメニュー画面をメニュー画面３１とし、更新後のメニュー画面をメニュー画面３２とする。更新前は、表示部２６上に更新前メニュー画面３１として「画像調整」メニューが選択表示してある。「画像調整」メニューは、アイコン画像３３ａを選択すると表示されるメニューである。他には「音声調整」メニューを表すアイコン画像３４ａと、「画面調整」メニューを表すアイコン画像３５ａが表示してある。「画像調整」メニューでは、「ピクチャーモード」、「ピクチャー」、「明るさ」、「色の濃さ」、「色合い」、「シャープネス」、…等がある。なお、「音声調整」メニュー、「画面調整」メニューを選択するとそれぞれのメニューに合わせた背景画像が表示される。
【００３１】
アイコン画像、背景画像の更新を行った結果、更新後メニュー画面３２が表示されるようになる。更新後メニュー画面３２では、「画像調整」メニューを表すアイコン画像３３ｂと、「音声調整」メニューを表すアイコン画像３４ｂと、「画面調整」メニューを表すアイコン画像３５ｂが表示される。そして、「画像調整」メニューを選択した時の背景画像は、背景画像３６ｂが表示される。ただし、メニュー項目は、そのまま更新前と同じ「ピクチャーモード」、「ピクチャー」、「明るさ」、「色の濃さ」、「色合い」、「シャープネス」、…等が表示される。
【００３２】
このようにして、メニュー画面を構成する背景画像やアイコン画像等の画像データを任意の画像データに置き換えたメニュー画面として表示することが可能となった。
【００３３】
本実施の形態において、従来変更できなかったメニュー画面の背景画像やアイコン画像等の画像を任意の画像に変更することが可能となったため、ユーザはメニュー画面を構成する画像データを任意に設定できるという効果がある。また、このようにメニュー画面をユーザの所望する画像データで置換するため、テレビジョン受像機の娯楽性を容易に改善することができるという効果がある。映るだけでよかったテレビジョン受像機時代の終焉と言われる現在、デジタルテレビジョン受像機の普及につれ、テレビジョン受像機の画質、音質の重要性は言うまでなく、娯楽性もユーザにとって重要な特性となってきた。同じ型番のテレビジョン受像機のメニュー表示が同一ではなく、ユーザの好ましいイメージに変更できるようになれば、テレビジョン受像機の娯楽性はより高くなるものと言える。
【００３４】
また、ファームウェア４０で定義した画像情報テーブル４１に、画像データ記憶部１４のアイコン画像、背景画像データの先頭アドレスを記憶するようにしたため、データの読み出し、書込みを速やかに行うことができるという効果がある。
【００３５】
なお、上述した実施の形態において、メニュー画面の背景画像やアイコン画像等の画像を書き換えるようにしたが、画像表示装置１０からの動作状況を取得するようにして、異常検出時には、所定の警告メッセージや警告メッセージに対する画像を表示させるようにしてもよい。また、所定の警告メッセージや警告メッセージに対する画像を随時、外部記憶媒体２５より取り込んで、警告メッセージや警告画像を更新するようにしてもよい。このとき、画像表示装置１０が有する自己診断機能により、例えば、内部電圧の異常上昇や、温度の異常上昇、ファンの回転異常を検出した場合などに、トラブル状況や警告メッセージの背景等を表示させることも可能となるため、ユーザがどのような異常が発生しているかを容易に認識できるという効果がある。また、警告メッセージ等の画面についてもメッセージの背景を任意の画像で書き換えることで一層ユーザが表示された内容を認識しやすくなるという効果がある。
【００３６】
また、上述した実施の形態において、メニュー画面の背景画像やアイコン画像等の画像を書き換えるようにしたが、その他の設定画面、選局画面、調整画面等においても同様にユーザの所望する画像を用いて背景画像やアイコン画像等を書き換えることも可能である。このため、ユーザ個々の嗜好に合った設定を行うことが可能となるという効果がある。
【００３７】
また、上述した実施の形態において、画像データ記憶部１４と画像情報テーブル４１に記憶されている画像データは１対１で対応しているため、メニュー画面を更新すると以前の画像は上書き更新されていた。しかし、画像データ記憶部１４に更新前の画像を退避させる領域として複数の画像情報テーブルを設けたり、画像情報テーブル４１の領域を拡張したりして複数種類の画像データを保存するようにすればメニュー画面の画像は任意のタイミングで置換して表示させることが可能である。こうして、画像情報テーブル４１と画像データ記憶部１４とは、画像データ記憶部１４に記憶する更新前後の画像データを選択可能に記憶させることができる。また、ユーザごとに異なる画像を選択表示させるようにしてもよい。
【００３８】
また、上述した実施の形態において、アイコン画像や背景画像を外部記憶媒体２５より読み出すようにしたが、外部入力部２０を有線又は無線のネットワーク経由でインターネットに接続して好みの画像データを取り込むようにしてもよい。また、メーカのホームページ等から提供されるメニュー表示更新用に複数のアイコン画像や背景画像等をまとめた画像パッケージをダウンロードして取り込むようにしてもよい。この場合、取り込まれた画像は、画像表示装置１０に記憶してあるソフトウェアで所定のフォーマットに変換することで容易にアイコン画像や背景画像を作成することが可能となる。
【００３９】
また、上述した実施の形態において、画像データ記憶部１４に記憶させるアイコン画像、背景画像は静止画像としていたが、動画像を記憶させるようにしてもよい。あるいは、文字データを記憶させるようにしてもよい。このようにすることで、ユーザにとって視覚的に認識しやすい表示が可能となるという効果がある。
【００４０】
また、上述した実施の形態において、画像表示装置１０の表示部を液晶ディスプレイパネルに適用した例として説明したが、他にも、プラズマディスプレイパネルやリアプロジェクション形式の画像表示パネル等を備えた様々な画像表示装置に適用しても同様の機能、効果を得ることが出来る。
【００４１】
また、上述した実施の形態において、画像データ記憶部１４に保存するアイコン画像、背景画像のサイズの制限を超過した画像データは、画像データ記憶部１４に書き込まず、更新処理を終了するようにしたが、ファームウェア４０で自動的に所定のサイズの制限に合わせたデータ量に変換して画像データを更新するようにしてもよい。
【００４２】
また、上述した実施の形態において、画像データ記憶部１４に保存するアイコン画像、背景画像の先頭アドレスを固定とし、保存可能なデータ量に制限を設けるようにしたが、保存する画像データのデータ量毎に画像データ記憶部１４の記憶領域を可変としてもよい。このとき、可変させた記憶領域に応じて、画像データの先頭アドレスを可変とする。同様に、画像情報テーブル４１の先頭アドレスも可変とする。この場合、上述した実施の形態においては画像データ記憶部１４を予め固定領域として分割してあったため保存画像のデータが小さい場合、空き領域ができたが、この空き領域を詰めて画像データを保存することが可能である。このようにすると、使用可能な記憶領域が限られていても多くの画像データを保存することができ、画像データ記憶部１４の記憶領域を有効に使用することができるという効果がある。
【００４３】
また、上述した実施の形態において、外部記憶媒体に保存した画像データを用いてメニュー画面の背景画像やアイコン画像等の画像を書き換えるようにしたが、画像表示装置で受像表示している画像をメニュー画面の書き換え用の画像データとして取得するようにしてもよい。この場合、ユーザが希望する任意の画像を取り込んでメニュー画像に用いることができるという効果がある。
【００４４】
また、上述した実施の形態において、画像データを記憶してある外部記憶媒体としてＩＣ記憶メディアを用いるようにしたが、外付けのハードディスクドライブ、光ディスク装置、磁気ディスク装置等の記録装置からデータを読み出すようにしてもよい。また、外部入力部２０を介して外部の有線又は無線のネットワーク回線から画像データをダウンロードしてデータを取得するようにしてもよい。
【図面の簡単な説明】
【００４５】
【図１】本発明の一実施の形態における画像表示装置の内部構成例を示したブロック図である。
【図２】本発明の一実施の形態におけるメニュー画面の画像書き換えの処理例を示したフローチャートである。
【図３】本発明の一実施の形態におけるメニュー画面の画像書き換えの表示例を示した説明図である。
【符号の説明】
【００４６】
１…リモートコントロール装置、１０…画像表示装置、１１…リモコンセンサ、１２…主制御部、１３…副制御部、１４…画像データ記憶部、１５…画像表示制御部、１６…パネル駆動部、１７…画像処理部、１８…外部記憶媒体アクセス部、１９…チューナ、２０…外部入力部、２１…デジタル入力部、２５…外部記憶媒体、２６…表示部、２７…操作部、２８…記憶部
【図１】
2007158620.tif 000003
【図２】
2007158620.tif 000004
【図３】
2007158620.tif 000005